(57)【要約】【課題】従来の歩行補助器を使用できないほど重度に歩行が困難となった高齢者等であっても車椅子を使用せずに歩行可能な歩行補助器を提供すること。【解決手段】上部に着座部１２ａを有する本体部１２と、該本体部１２を移動可能とするために前記本体部１２の下部に設けられた走行手段１８とを有する歩行補助器において、前記着座部１２ａの位置は、使用者が前記本体部１２に跨いで座った時に少なくとも足の一部が床に接触可能に設定され、前記着座部１２ａ又は前記本体部１２の上部に、両手で前記本体部１２を押すための手置き部２０が設けられたことを特徴とする歩行補助器。【選択図】図１
0003164159.tif 000002
【実用新案登録請求の範囲】
【請求項１】
上部に着座部を有する本体部と、該本体部を移動可能とするために前記本体部の下部に設けられた走行手段とを有する歩行補助器において、
前記着座部の位置は、使用者が前記本体部に跨いで座った時に少なくとも足の一部が床に接触可能に設定され、
前記着座部又は前記本体部の上部に、両手で前記本体部を押すための手置き部が設けられたことを特徴とする歩行補助器。
【請求項２】
前記着座部は、前記本体部の上面に弾性部材を設置することにより構成したことを特徴とする請求項１に記載の歩行補助器。
【請求項３】
前記着座部は、前記本体部とは別体で、該本体部の上部に設けられ、前記本体部に対して高さ調節が可能であることを特徴とする請求項１又は２に記載の歩行補助器。
【請求項４】
前記本体部は、所定箇所をヒンジによって結合した折りたたみ式の構造体で構成され、
前記着座部は、前記フレーム構造体にヒンジによって結合され、使用時に該フレーム構造体の上面部を構成可能とされたことを特徴とする請求項１又は２に記載の歩行補助器。
【請求項５】
前記本体部に収納部が設けられたことを特徴とする請求項１〜４の何れか１項に記載の歩行補助器。
【請求項６】
前記本体部に引き出しテーブルが設けられたことを特徴とする請求項１〜５の何れか１項に記載の歩行補助器。
【請求項７】
前記着座部の上面に凹部が形成され、前記手置き部は、前記凹部内に進行方向に延在して設けられた左右一対のグリップ部であることを特徴とする請求項１〜６の何れか１項に記載の歩行補助器。
【請求項８】
前記着座部に使用者が着座したときに把持できる高さのハンドル部を、前記本体部の上部又は前側側面に設けたことを特徴とする請求項１〜７の何れか１項に記載の歩行補助器。
【考案の詳細な説明】
【技術分野】
【０００１】
本考案は、歩行困難な高齢者や患者等の歩行補助に用いられる歩行補助器に関する。
【背景技術】
【０００２】
我が国では高齢者社会が進むに伴い、杖、歩行補助器あるいは車椅子などの需要が増えてきている。歩行困難な高齢者や患者（以下、単に「高齢者等」ともいう。）が使用する一般的な歩行補助器として、特許文献１の従来技術においても説明されているように、枠体からなる本体部の下部に車輪が設けられ、本体部の縦方向中央部に荷台が設けられ、本体部の上部に把持部が設けられた歩行補助器が知られている。このような歩行補助器の把持部は使用者が歩行するときの腰付近の高さに設けられており、使用者は把持部を手で握り、自重を歩行補助器でも支えることにより安定して歩行することができる。
【先行技術文献】
【特許文献】
【０００３】
【特許文献１】特開平１１−８９８９９号公報（第０００２段落、第１３図）
【考案の概要】
【考案が解決しようとする課題】
【０００４】
しかしながら、上記のように従来の歩行補助器の把持部は腰付近の高さに設定されているため、重度に腰の曲がった高齢者や非常に小柄な高齢者がこのような歩行補助器を使用すると、把持部が顔や肩付近の高さに位置することとなり、把持部を握るためには手（腕）を上方に上げなければならなかった。この状態で歩行すると、重心が後側に位置するため不安定となり、歩行補助器とともに使用者が転倒することがあり従来から危険性が指摘されていた。
【０００５】
このように、従来の歩行補助器を使用しても安定に歩行できない重度に腰の曲がった高齢者等は、車椅子を使用せざるを得ないというのが現状である。車椅子は自宅等の狭い通路やトイレ等の狭い空間や段差がある場所では使用することができないため、自宅のリフォームや他人の介助が必要となることが多く、経済的な負担を負うことが多い。また、高齢者等が一度車椅子の生活となってしまえば、足腰の筋力が急激に衰え、自力歩行の回復の機会を失うこととなり好ましくない。しかしながら、重度に腰の曲がった高齢者等であっても未だ歩行について余力が有り、自らも車いす以外の自走の移動手段を望んでいる高齢者等も少なくないのが現状である。
【０００６】
本考案は上記事情に鑑みて、日々介護の現場で働く者によって創作されたものであり、その目的は、従来の歩行補助器を使用できないほど重度に歩行が困難となった高齢者等であっても車椅子を使用せずに歩行可能な歩行補助器を提供することにある。すなわち、従来の歩行補助器と車椅子の中間的位置づけの歩行補助器を提供することにある。
【課題を解決するための手段】
【０００７】
上記目的を解決するため、請求項１に記載の歩行補助器は、
上部に着座部を有する本体部と、該本体部を移動可能とするために前記本体部の下部に設けられた走行手段とを有する歩行補助器において、前記着座部の位置は、使用者が前記本体部に跨いで座った時に少なくとも足の一部が床に接触可能に設定され、前記着座部又は前記本体部の上部に、両手で前記本体部を押すための手置き部が設けられたことを特徴とする。
【０００８】
この構成によれば、上記高さに設定された着座部又は本体部の上部に手置き部が設けられているので、従来の歩行補助器とは異なり、手置き部が低い位置に設定されている。そのため、重度の腰の曲がった高齢者等は従来の歩行補助器のように手を上方に伸ばす必要がなく、本歩行補助器の手置き部に手を置き、無理なく前屈みの大勢のまま体重をかけた状態で本歩行補助器を押して安定して歩行することができる。また、着座部を設けているため、歩行補助器に跨いで座った状態で床や地面を蹴ることにより周辺を自由に移動することができる。このように、本歩行補助器は、従来の歩行補助器と車椅子の中間的な機能を果たすものである。
【０００９】
請求項２に記載の歩行補助器は、請求項１に記載の歩行補助器において、前記着座部は、前記本体部の上面に弾性部材を設置することにより構成したことを特徴とする。
【００１０】
この構成によれば、着座している状態で、股関節や膝等に負担なく座り心地のよい歩行補助器を提供することができる。
【００１１】
請求項３に記載の歩行補助器は、請求項１又は２に記載の歩行補助器において、前記着座部は、前記本体部とは別体で、該本体部の上部に設けられ、前記本体部に対して高さ調節が可能であることを特徴とする。
【００１２】
この構成によれば、本歩行補助器の高さを使用者の体格に合った高さに設定をすることができる。したがって、様々な体格の使用者や様々な腰の曲がり具合の使用者に的確に対応することができる。
【００１３】
請求項４に記載の歩行補助器は、請求項１又は２に記載の歩行補助器において、前記本体部は、所定箇所をヒンジによって結合した折りたたみ式の構造体で構成され、前記着座部は、前記フレーム構造体にヒンジによって結合され、使用時に該フレーム構造体の上面部を構成可能とされたことを特徴とする。
【００１４】
この構成によれば、折りたたみ可能とすることで、自宅から他の屋内施設等に移動してその屋内施設で使用したいときに持ち運びが容易となる。また、コンパクトにすることができるため、使用時以外には大きな空間を取らずに棚等に収納することができる。
【００１５】
請求項５に記載の歩行補助器は、請求項１〜４の何れか１項に記載の歩行補助器において、前記本体部に収納部が設けられたことを特徴とする。
【００１６】
本歩行補助器は、両手で押して移動するものであり、手で荷物を持ち運びすることができないため、本歩行補助器に収納部を設けることで荷物の移動を可能とすることができる。
【００１７】
請求項６に記載の歩行補助器は、請求項１〜５の何れか１項に記載の歩行補助器において、本体部に引き出しテーブルが設けられたことを特徴とする。
【００１８】
上述した通り、手で荷物を持ち運びすることができないので、引き出しテーブルを設けることで、例えば、台所から居間まで飲み物を運ぶ等行うことができる。
【００１９】
請求項７に記載の歩行補助器は、請求項１〜６の何れか１項に記載の歩行補助器において、前記着座部の上面に凹部が形成され、前記手置き部は、前記凹部内に進行方向に延在して設けられた左右一対のグリップ部であることを特徴とする。
【００２０】
この構成によれば、手置き部を、手でしっかりと握ることができる進行方向に延愛するグリップ部とすることで、本歩行補助器をより安定して押して移動することができる。
【００２１】
請求項８に記載の歩行補助器は、請求項１〜７の何れか１項に記載の歩行補助機において、前記着座部に使用者が着座したときに把持できる高さのハンドル部を、前記本体部の上部又は前側側面に設けたことを特徴とする。
【００２２】
この構成によれば、使用者が着座部に着座した状態で移動するときに、両手で握るものであり、着座した状態での走行時における安定性を向上させることができる。
【考案の効果】
【００２３】
本考案によれば、従来の歩行補助器とは異なり、手置き部が低い位置に設定されているため、前かがみになった状態で、本歩行補助器を押して安定して歩行することができる。また、着座部を設けているため、歩行補助器に跨いで座った状態で移動することができる。したがって、従来の歩行補助器を使用できないほど重度に歩行が困難となった高齢者等であっても車椅子を使用せずに歩行することができる歩行補助器、すなわち、従来の歩行補助器と車椅子の中間的位置づけの歩行補助器を提供することができる。
【図面の簡単な説明】
【００２４】
【図１】本考案の歩行補助器の第１の実施の形態を示す斜視図である。
【図２】手置き部の幅方向断面図である。
【図３】収納部を引き出したときの進行方向後側の斜視図である。
【図４】テーブル部を引き出したときの進行方向前側の斜視図である。
【図５】本考案の歩行補助器を使用して歩行するときの説明図である。
【図６】本考案の歩行補助器に座って移動するときの説明図である。
【図７】本考案の第２の実施の形態を示す斜視図である。
【図８】高さ調節機構の説明図である。
【図９】本考案の第３の実施の形態を示す斜視図である。
【図１０】第３の実施の形態の正面図である。
【図１１】本考案の第４の実施の形態を示す斜視図である。
【考案を実施するための形態】
【００２５】
以下、図面を参照して本考案の歩行補助器について詳細に説明する。図１は、第１の実施の形態の歩行補助器の斜視図であり、本歩行補助器１０は矢印１００の方向に向かって移動するものである。本明細書において、「前」とは進行方向側を意味し、「後」とは進行方向の反対側を意味するものとする。また、進行方向を向いた状態での右と左をそれぞれ「右」及び「左」というものとする。
【００２６】
図示のように、本実施の形態によれば、本体部１２は略直方体状の形状とされており、本体部１２の上面が着座部１２ａとなっており、本体部１２の底面には、走行手段として前側車輪１８ａと後側車輪１８ｂが前後に２個ずつ設けられている。
【００２７】
本体部１２は、プラスチック、ステンレス、木材等から構成されており、幅は使用者の肩幅程度、例えば３０〜５０ｃｍ、長さは３０〜６０ｃｍに設定される。着座部１２ａは、座り心地の点からウレタンやその周りを革で覆った弾性部材から構成されていることが好ましい。
【００２８】
本体部１２の左右側面１２ｂの上部中央には、矩形状穴２２が設けられている。本実施の形態では、この矩形状穴２２と、着座部１２ａの左右両側の前後方向中央部とから手置き部２０（点線で示した部分）が構成されており、本歩行補助器１０の使用者はこの手置き部２０に手を置き、例えば、矩形状穴２２に人差し指から小指までを入れて後述の図５の説明において詳述するように本歩行補助器１０を矢印１００方向に移動させながら歩行する。
【００２９】
図２は、手置き部２０の幅方向断面図を示している。上述したように矩形状穴２２は本体部１２の側面１２ｂに設けられるが、矩形状穴２２の縁部のうち上部の一辺２２ａは、図示のように丸みを持った縁部形状とされている。このような形状とすることにより、手置き部２０に手を置いて指を矩形状穴２２に入れて掴むときの掴み心地の向上が図られている。
【００３０】
着座部１２ａの高さは、使用者が着座部１２ａに跨いで座った時に、少なくとも足の一部が接触可能な高さに設定されている。そのため、後述の図６の説明において詳述するように、本考案の歩行補助器１０に座った状態で、床や地面を足で蹴ることによって周辺を自由に移動することができる。着座部１２ａの高さは、使用者が着座部１２ａに跨いで座った時に、足の平の全てが接触可能な高さに設定されることがより好ましい。これにより、着座状態の安定性を確保することができる。
【００３１】
本体部１２の底面に設けられている車輪１８ａ、１８ｂのタイプは特に限定されないが、本実施の形態では前側車輪１８ａが全方向に回転するタイプのものである。これにより、方向転換を容易に行うことができる。車輪１８ａ、１８ｂの直径は特に限定されないが、少なくとも敷居や絨毯の段差をスムーズに通過できる程度の直径を有することが好ましい。この直径は例えば１０ｃｍ程度である。
【００３２】
車輪１８ａ、１８ｂは、本体部１２の側面１２ｂの外側下部に設けられていてもよいが、着座部１２ａに座って跨いで床を蹴るときの妨げとならないようにするため、車輪が側面からはみ出すことのないように底面に設けることが好ましい。
【００３３】
図示していないが、車輪１８ａ、１８ｂには少なくとも１箇所に車輪の不要な回転を防止するストッパーを設けることが好ましい。本歩行補助機の使用時以外に使用者が不意に本歩行補助器に寄りかかった場合に、本歩行補助器が不要に移動して使用者が転倒することを防止してするためである。
【００３４】
本体部１２の後部には、図３に示すように、引き出し可能な収納部２４が設けられている。本歩行補助器１０を使用して歩行するときは、両手を手置き部２０に置いて移動するために荷物を持ち運びすることが困難である。そのため、本歩行補助器１０では収納部２４を設けることよって荷物の移動が可能となり、より実用性の高い歩行補助器とすることができる。
【００３５】
図４は第１の実施の形態の歩行補助器１０を前方からみた斜視図である。図示のように、本体部１２の前部には矢印方向に引き出し可能なテーブル部２６が設けられている。台所から居間等にお茶等を運びたい時は、このテーブル部２６を盆替わりにして使用することができる。図示のように、テーブル部２６の周囲はリブが形成されているため、移動動作によりテーブル部２６に載せた物の落下を防止することができる。図示していないが、テーブル部２６には、その全てが引き出されることのないように、所定長さ引き出した位置で止まるストッパーが設けられている。
【００３６】
上記収納部２４とテーブル部２６は、本体部１２内にレール等を敷いて、引き出し容易な構成としてもよい。
【００３７】
次に、本歩行補助器１０を使用して歩行を行うときの動作を説明する。図５に記載のように、使用者は歩行補助器１０の手置き部２０に手を置き、前かがみになって体重をかけるようにして歩行する。このように、従来の歩行補助器とは異なり、手置き部の位置が低いので、腰の曲がった人でも大きく体勢を変えることなく、すなわち無理なくしっかりと歩行補助器を用いた移動のための重心位置移動を行うことができる。また、従来の歩行補助器のように手を上方に上げる必要がないため、使用者に身体的な負担なく歩行することができる。更に、本歩行補助器１０の幅は上述したように使用者の肩幅程度であるため、自宅の狭い通路を通ることやトイレ等の狭い空間への移動を難なく行うことができる。
【００３８】
次に、本歩行補助器に跨いで座りながら移動する動作を説明する。図６に記載のように、使用者は本歩行補助器１０に跨いで座ることができ、上述したように着座部１２ａの高さは、座った状態で足の少なくとも一部が床につくように設計されているので、床や地面を足で蹴って移動することができる。また、座ったままの状態で、机上の作業等の事務的作業や食事等を行うことができる。
【００３９】
次に、本考案の歩行補助器の第２の実施の形態を図７を用いて説明する。図示のように、本実施の形態の歩行補助器３０において、着座部３３は本体部３２とは別体として構成されており、着座部３３の左右両側の形状は、使用者が着座したときに膝の裏に角が当たらないように丸みを持った形状とされている。また、着座部３３の左右両側中央には、進行方向に延在する一対のグリップ部４２が設けられている。手置き部を図示のようなグリップ部４２とすることで、使用者はこのグリップ部４２を握ることでより安定的に本歩行補助器を押して移動することができる。図示の例では、進行方向に延在したグリップ部を例として示したが、幅方向に延在するグリップ部としてもよい。但し、安定性をより向上できることから進行方向に延在するグリップ部が好ましい。
【００４０】
グリップ部４２の内部中央にはその延在方向に硬質の棒材を挿通することが好ましい。これによりグリップ部４２が変形することを防止することができる。
【００４１】
また、グリップ部４２の下には、ブレーキ４８が設けられている。本歩行補助器を使用して歩行した場合は通常その歩行を止めれば、それに伴い歩行補助器も停止するが、例えば、スロープ等を通った時に意図せず過度にスピードがかかった場合にその速度を抑えることができ、使用者の安全性を確保することができる。
【００４２】
ブレーキ４８は、ブレーキケーブル（図示せず）が本体部３２の内部の側面沿いを通って後側車輪３８ｂに連結されており、ブレーキをかけると後側車輪３８ｂに制動が掛かるように構成されている。ブレーキケーブルは、後述する着座部３３の高さ調節に対応できるように長さ設定される。
【００４３】
また、本歩行補助器３０の後面図である図８に示すように、本歩行補助器３０の本体部３２には、着座部３３の高さを調節できるように高さ調節機構３７が設けられている。本体部３２の後面３２ｄには、左右にそれぞれ縦方向に間隔をおいて孔部３５−１が３個設けられている。着座部３２ｄの下部には高さ調節板３９が設けられており、この高さ調節板３９にも同様に孔部３５−２が後面３２ｄの孔部３５−１に対応するように設けられている。そして、着座部３３の高さを調節したいときは、着座部３３を上下移動して所望の高さの位置となりそれぞれの孔部３５−１、３５−２の位置が重なりあったときに、ボルト４１等を挿通することで着座部３３の高さを固定することができる。なお、図８では、本体部３２の後面３２ｄの一番上の孔部３５−１の位置と、高さ調節板３９の一番下の孔部３５−２の位置を合わせた状態で固定し、着座部３３の高さを上げた状態を示している。
【００４４】
これら孔部３５−１、３５−２は本体部３２の前面にも同様に２箇所設けられており、四カ所全てを同じ高さでボルト調節する必要がある。このように、高さ調節機構を設けることで使用者の体格や腰の曲がり具合等に対応した歩行補助器を提供することができる。なお、本実施例では、孔部３５−１、３５−２は縦方向に間隔を置いて３個設けた例を示しているが、適宜増減してもよい。また、前後２枚の高さ調節板を連結する側面板を着座部３３の下部側面側に設けてもよい。
【００４５】
次に本考案の歩行補助器の第３の実施の形態を図９を参照して説明する。本実施の形態の歩行補助器５０は、着座部５２ａがひょうたん状の形状となっており、符号６３に示すように、左右両側の進行方向中央前方寄りがそれぞれ内側に向かって湾曲している。この湾曲部６３は、使用者が本歩行補助器に座ったときに足の形に沿う形状となっており、長時間着座しても疲れにくい形状とされている。
【００４６】
グリップ部６２は着座部５２ａの後側の表面内部に設けられた凹部に左右にそれぞれ設けられている。このように、着座部５２ａ内部にグリップ部６２を設ければ、グリップ部６２が着座の妨げになることはない。
【００４７】
更に、図１０にも示すように、本体部５２の前側の側面には、ハンドル部６５が設けられている。このハンドル部６５は、使用者が着座部５２ａに着座した状態で移動するときに、両手で握るものであり、着座時における移動の安定性を向上させることができる。ハンドル部６５は高さ調節が可能となっており、使用しない場合には、着座部５２ａの高さより下の位置まで収納することができる。
【００４８】
ハンドル収納部６９の上部には固定穴６７が設けられており、ハンドル部６５の縦部材６５ａの下部には押圧可能な突起部（図示していない）が設けられている。収納状態からハンドル部６５を上に引き上げると、ハンドル部６５の縦部材６５ａの突起部が固定穴６７の位置に来た時に、突起部が固定穴７９から突出しその時点でハンドル部６５の位置が固定される。ハンドル部６５を収納したいときは、突起部を押しつつハンドル部６５を下方に押すことにより、固定状態が解除され、ハンドル部６５がハンドル収納部６９に収納される。
【００４９】
次に、本考案の歩行補助器の第４の実施の形態を図１１を参照して説明する。本実施の形態の歩行補助器７０の特徴は折りたたみが可能なことである。図示のように、本歩行補助器７０の本体部７２は軽量パイプから形成されており、本体部７２の上部には着座部７３が本体部７２とは別体として設けられている。本体部７２は、コの字型のフレーム７２ｂとロの字型のフレーム７２ｃとから構成され（フレーム構造体）、このフレーム７２ｂと７２ｃは側部側の中央でＸ字状に交差し、連結部材７５により連結されている。
【００５０】
フレーム７２ｂの上部後側端部７２ｂ−１は、着座部７３にヒンジ７７によって回転可能に固定されており、フレーム７２ｃの上部前側７２ｃ−１は、着座部７２ａの内側角部に着脱可能に固定されている。本歩行補助器７０の折りたたみ動作は、着座部７２ａの前方を矢印２００方向に持ち上げてから、フレーム７２ｂとフレーム７２ｃを、連結部材７５を支点として折りたたむことにより行うことができる。このように、本考案の歩行補助器を折りたたみ可能とすることで外出先で使用する場合等の持ち運びが容易となるだけでなく、折りたたんでコンパクトとすることで大きな空間をとらずに押し入れや車のトランクに収納することができる。
【００５１】
また、本実施の形態においては、手置き部を構成する縁部８０の形状が図示のように波状の形状とされている。この形状とすることにより指で手置き部を掴むときの指の形にフィットさせることができ、掴み心地が向上し、歩行補助器７０を安定して押すことができる。
【００５２】
図示していないが、本体部７２の各フレームには、本体部７２の折りたたみ動作と同時に折りたたまれる収納部を設けてもよい。この場合の収納部はアルミなど柔軟性のある部材で構成することができる。
【００５３】
本考案は上記各実施の形態の構成に限定されるものではなく、考案の要旨の範囲内で種々の変形が可能である。
【産業上の利用可能性】
【００５４】
本考案の歩行補助器は腰の曲がった高齢者だけでなく、パーキンソン病などの歩行機能障害を有する患者用の歩行補助器としても有効である。
【符号の説明】
【００５５】
１０、３０、５０、７０  歩行補助器
１２  本体部
１２ａ  着座部
１８  車輪
２０  手置き部
２２  矩形状穴
２４  収納部
２６  テーブル部
３２  本体部
３３  着座部
３５−１、３５−２  孔部
３７  高さ調節機構
３９  高さ調節板
４１  ボルト
４２  グリップ部
４８  ブレーキ
５２  本体部
５２ａ  着座部
６２  グリップ部
６５  ハンドル部
７２  本体部
７３  着座部
７２ｂ、７２ｃ  フレーム
７７  ヒンジ
【図１】
0003164159.tif 000003
【図２】
0003164159.tif 000004
【図３】
0003164159.tif 000005
【図４】
0003164159.tif 000006
【図５】
0003164159.tif 000007
【図６】
0003164159.tif 000008
【図７】
0003164159.tif 000009
【図８】
0003164159.tif 000010
【図９】
0003164159.tif 000011
【図１０】
0003164159.tif 000012
【図１１】
0003164159.tif 000013
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
上部に着座部を有する本体部と、該本体部を移動可能とするために前記本体部の下部に設けられた走行手段とを有する歩行補助器において、
前記着座部の位置は、使用者が前記本体部に跨いで座った時に少なくとも足の一部が床に接触可能に設定され、
前記着座部又は前記本体部の上部に、両手で前記本体部を押すための手を置く領域が確保されたことを特徴とする歩行補助器。
【請求項２】
前記着座部は、前記本体部の上面に弾性部材を設置することにより構成したことを特徴とする請求項１に記載の歩行補助器。
【請求項３】
前記着座部は、前記本体部とは別体で、該本体部の上部に設けられ、前記本体部に対して高さ調節が可能であることを特徴とする請求項１又は２に記載の歩行補助器。
【請求項４】
前記本体部は、フレームの所定箇所を連結部材によって結合した折りたたみ式のフレーム構造体で構成され、
前記着座部は、前記フレーム構造体の一端側に回転可能に取り付けられ、使用時に該フレーム構造体の上面部を構成することを特徴とする請求項１又は２に記載の歩行補助器。
【請求項５】
前記本体部に収納部が設けられたことを特徴とする請求項１〜４の何れか１項に記載の歩行補助器。
【請求項６】
前記本体部に引き出しテーブルが設けられたことを特徴とする請求項１〜５の何れか１項に記載の歩行補助器。
【請求項７】
前記着座部の上面に凹部が形成され、前記手を置く領域は、前記凹部内に前記走行手段による移動方向に延在して設けられた左右一対のグリップ部であることを特徴とする請求項１〜６の何れか１項に記載の歩行補助器。
【請求項８】
前記着座部に使用者が着座したときに把持できる高さのハンドル部を、前記本体部の上部又は前側側面に設けたことを特徴とする請求項１〜７の何れか１項に記載の歩行補助器。
【手続補正２】
【補正対象書類名】明細書
【補正対象項目名】０００７
【補正方法】変更
【補正の内容】
【０００７】
上記目的を解決するため、請求項１に記載の歩行補助器は、
上部に着座部を有する本体部と、該本体部を移動可能とするために前記本体部の下部に設けられた走行手段とを有する歩行補助器において、前記着座部の位置は、使用者が前記本体部に跨いで座った時に少なくとも足の一部が床に接触可能に設定され、前記着座部又は前記本体部の上部に、両手で前記本体部を押すための手を置く領域が確保されたことを特徴とする。
【手続補正３】
【補正対象書類名】明細書
【補正対象項目名】０００８
【補正方法】変更
【補正の内容】
【０００８】
この構成によれば、上記高さに設定された着座部又は本体部の上部に手を置く領域が設けられているので、従来の歩行補助器とは異なり、手を置く領域が低い位置に設定されている。そのため、重度の腰の曲がった高齢者等は従来の歩行補助器のように手を上方に伸ばす必要がなく、本歩行補助器の手を置く領域に手を置き、無理なく前屈みの大勢のまま体重をかけた状態で本歩行補助器を押して安定して歩行することができる。また、着座部を設けているため、歩行補助器に跨いで座った状態で床や地面を蹴ることにより周辺を自由に移動することができる。このように、本歩行補助器は、従来の歩行補助器と車椅子の中間的な機能を果たすものである。
【手続補正４】
【補正対象書類名】明細書
【補正対象項目名】００１３
【補正方法】変更
【補正の内容】
【００１３】
請求項４に記載の歩行補助器は、請求項１又は２に記載の歩行補助器において、前記本体部は、フレームの所定箇所を連結部材によって結合した折りたたみ式のフレーム構造体で構成され、前記着座部は、前記フレーム構造体の一端側に回転可能に取り付けられ、使用時に該フレーム構造体の上面部を構成することを特徴とする。
【手続補正５】
【補正対象書類名】明細書
【補正対象項目名】００１４
【補正方法】変更
【補正の内容】
【００１４】
この構成によれば、手を置く領域を、手でしっかりと握ることができる進行方向に延愛するグリップ部とすることで、本歩行補助器をより安定して押して移動することができる。
【手続補正６】
【補正対象書類名】明細書
【補正対象項目名】００１９
【補正方法】変更
【補正の内容】
【００１９】
請求項７に記載の歩行補助器は、請求項１〜６の何れか１項に記載の歩行補助器において、前記着座部の上面に凹部が形成され、前記手を置く領域は、前記凹部内に前記走行手段による移動方向に延在して設けられた左右一対のグリップ部であることを特徴とする。
【手続補正７】
【補正対象書類名】明細書
【補正対象項目名】００２０
【補正方法】変更
【補正の内容】
【００２０】
この構成によれば、手を置く領域を、手でしっかりと握ることができる走行手段による移動方向に延在するグリップ部とすることで、本歩行補助器をより安定して押して移動することができる。
【手続補正８】
【補正対象書類名】明細書
【補正対象項目名】００２３
【補正方法】変更
【補正の内容】
【００２３】
本考案によれば、従来の歩行補助器とは異なり、手を置く領域が低い位置に設定されているため、前かがみになった状態で、本歩行補助器を押して安定して歩行することができる。また、着座部を設けているため、歩行補助器に跨いで座った状態で移動することができる。したがって、従来の歩行補助器を使用できないほど重度に歩行が困難となった高齢者等であっても車椅子を使用せずに歩行することができる歩行補助器、すなわち、従来の歩行補助器と車椅子の中間的位置づけの歩行補助器を提供することができる。
【手続補正９】
【補正対象書類名】明細書
【補正対象項目名】００２８
【補正方法】変更
【補正の内容】
【００２８】
本体部１２の左右側面１２ｂの上部中央には、矩形状穴２２が設けられている。本実施の形態では、この矩形状穴２２と、着座部１２ａの左右両側の前後方向中央部とから手を置く領域としての手置き部２０（点線で示した部分）が構成されており、本歩行補助器１０の使用者はこの手置き部２０に手を置き、例えば、矩形状穴２２に人差し指から小指までを入れて後述の図５の説明において詳述するように本歩行補助器１０を矢印１００方向に移動させながら歩行する。
【手続補正１０】
【補正対象書類名】明細書
【補正対象項目名】００３９
【補正方法】変更
【補正の内容】
【００３９】
次に、本考案の歩行補助器の第２の実施の形態を図７を用いて説明する。図示のように、本実施の形態の歩行補助器３０において、着座部３３は本体部３２とは別体として構成されており、着座部３３の左右両側の形状は、使用者が着座したときに膝の裏に角が当たらないように丸みを持った形状とされている。また、着座部３３の左右両側中央には、進行方向に延在する一対のグリップ部４２が設けられている。手を置く領域を図示のようなグリップ部４２とすることで、使用者はこのグリップ部４２を握ることでより安定的に本歩行補助器を押して移動することができる。図示の例では、進行方向に延在したグリップ部を例として示したが、幅方向に延在するグリップ部としてもよい。但し、安定性をより向上できることから進行方向に延在するグリップ部が好ましい。
【手続補正１１】
【補正対象書類名】明細書
【補正対象項目名】００４６
【補正方法】変更
【補正の内容】
【００４６】
手を置く領域としてのグリップ部６２は着座部５２ａの後側の表面内部に設けられた凹部に左右にそれぞれ設けられている。このように、着座部５２ａ内部にグリップ部６２を設ければ、グリップ部６２が着座の妨げになることはない。
【手続補正１２】
【補正対象書類名】明細書
【補正対象項目名】００５０
【補正方法】変更
【補正の内容】
【００５０】
フレーム７２ｂの上部後側端部７２ｂ−１は、着座部７３に回転可能に固定されており、フレーム７２ｃの上部前側７２ｃ−１は、着座部７３の内側角部に着脱可能に固定されている。本歩行補助器７０の折りたたみ動作は、着座部７３の前方を矢印２００方向に持ち上げてから、フレーム７２ｂとフレーム７２ｃを、連結部材７５を支点として折りたたむことにより行うことができる。このように、本考案の歩行補助器を折りたたみ可能とすることで外出先で使用する場合等の持ち運びが容易となるだけでなく、折りたたんでコンパクトとすることで大きな空間をとらずに押し入れや車のトランクに収納することができる。
【手続補正１３】
【補正対象書類名】明細書
【補正対象項目名】００５１
【補正方法】変更
【補正の内容】
【００５１】
また、本実施の形態においては、手を置く領域としての手置き部を構成する縁部８０の形状が図示のように波状の形状とされている。この形状とすることにより指で手置き部を掴むときの指の形にフィットさせることができ、掴み心地が向上し、歩行補助器７０を安定して押すことができる。